(57)【要約】      （修正有）【課題】天井面や梁部材から吊下状態で支持固定でき、しかも作業性・作業コスト・抱持支持力・製造コストが良好な配管吊下支持具を提供する。【解決手段】取付部に吊下状態で取り付けられ、配管を抱持固定する配管吊下支持具において、可撓性を有する一枚の金属板から成り、配管軸に直交する方向の一方の端部から他方の端部に向けて該板状材の途中位置まで平行の４本の切込み部により５枚の櫛歯状部を有する櫛状に形成され、第１櫛歯状部・第３櫛歯状部・第５櫛歯状部の各々が切り起こされて配管抱持部と成り、第１櫛歯状部と第３櫛歯状部と第５櫛歯状部の各々の配管抱持部が同一位置に同一形状で形成され、配管抱持部と、第２櫛歯状部・第４櫛歯状部と、の間に配管が挿通されて配管が挟着された状態で抱持支持され、櫛歯元部と、第２櫛歯状部・第４櫛歯状部の先端部分と、のいずれか一方を取付部に固定することにより吊下状態とする構成である。【選択図】図１
2020176692.tif 000002
【特許請求の範囲】
【請求項１】
天井面・梁部材の如き取付部に吊下状態で取り付けられ、１本又は２本以上の配管を抱持固定する配管吊下支持具において、
配管吊下支持具を構成する板状材が可撓性を有する一枚の金属板から成り、配管軸に直交する方向の一方の端部から他方の端部に向けて該板状材の途中位置まで平行の４本の切込み部により５枚の櫛歯状部を有する櫛状に形成され、この５枚の櫛歯状部が、配管軸方向の一方から他方に向けて順に、第１櫛歯状部、第２櫛歯状部、第３櫛歯状部、第４櫛歯状部、第５櫛歯状部と成り、
前記第１櫛歯状部・第３櫛歯状部・第５櫛歯状部の各々が、円弧状、半円状、Ω状又はアーチ状のいずれかに切り起こされて１つ又は２つ以上の配管抱持部と成り、
第１櫛歯状部の１つ又は２つ以上の配管抱持部と、第３櫛歯状部の１つ又は２つ以上の配管抱持部と、第５櫛歯状部の１つ又は２つ以上の配管抱持部と、が配管軸方向から見て同一位置に同一形状で形成されており、
配管軸方向から見て、前記配管抱持部と第２櫛歯状部・第４櫛歯状部との間に配管が挿通されて該配管抱持部と第２櫛歯状部・第４櫛歯状部との間に配管が挟着された状態で、抱持支持される構成であり、
前記板状材の他方の端部側の切込み部の無い部分である櫛歯元部と、前記第２櫛歯状部・第４櫛歯状部の各々の先端部分と、のいずれか一方を前記取付部に固定することにより吊下状態とする構成であること、
を特徴とする配管吊下支持具。
【請求項２】
前記櫛歯元部に透孔が形成されており、該透孔にボルトの如き固定部材が挿通されて前記櫛歯元部を前記取付部の側面に取り付けることにより吊下状態とする構成であることを特徴とする請求項１に記載の配管吊下支持具。
【請求項３】
前記櫛歯元部の端部が折り曲げられており、この折り曲げられた部分に透孔が形成されており、該透孔にボルトの如き固定部材が挿通されてこの折り曲げられた部分を前記取付部の底面に取り付けることにより吊下状態とする構成であることを特徴とする請求項１に記載の配管吊下支持具。
【請求項４】
前記櫛歯元部の端部が切込分割線を介して互い違いに折り曲げられており、この互い違いに折り曲げられた部分の両方に透孔が形成されており、該透孔にボルトの如き固定部材が挿通されてこの互い違いに折り曲げられた部分を前記取付部の底面に取り付けることにより吊下状態とする構成であることを特徴とする請求項１に記載の配管吊下支持具。
【請求項５】
前記第２櫛歯状部・第４櫛歯状部の各々の先端部分に透孔が形成されており、該透孔にボルトの如き固定部材が挿通されて前記第２櫛歯状部・第４櫛歯状部の各々の先端部分を前記取付部の側面に取り付けることにより吊下状態とする構成であることを特徴とする請求項１に記載の配管吊下支持具。
【請求項６】
前記第２櫛歯状部・第４櫛歯状部の各々の先端部分が折り曲げられており、この折り曲げられた部分に透孔が形成されており、該透孔にボルトの如き固定部材が挿通されてこの折り曲げられた部分を前記取付部の底面に取り付けることにより吊下状態とする構成であることを特徴とする請求項１に記載の配管吊下支持具。
【請求項７】
１つの配管抱持部に２本以上の配管を抱持する構成であることを特徴とする請求項１〜６のいずれかに記載の配管吊下支持具。
【請求項８】
前記配管抱持部による配管の抱持範囲が、抱持する配管の半径を超える範囲であることを特徴とする請求項１〜７のいずれかに記載の配管吊下支持具。
【請求項９】
前記第１櫛歯状部と第３櫛歯状部と第５櫛歯状部の先端部分が、前記第２櫛歯状部・第４櫛歯状部から離れる方向に湾曲又は折曲によって反った状態の構成であることを特徴とする請求項１〜８のいずれかに記載の配管吊下支持具。
【請求項１０】
前記第２櫛歯状部・第４櫛歯状部の各々の少なくとも一部に隆起部が形成され、該隆起部が配管抱持部に抱持する配管の外周面であって且つ前記一方の端部側の少なくとも一部に当接可能な構成であることを特徴とする請求項１〜９のいずれかに記載の配管吊下支持具。
【請求項１１】
前記配管抱持部には、該配管抱持部を配管軸直交方向に横断する補強リブが設けられた構成であることを特徴とする請求項１〜１０のいずれかに記載の配管吊下支持具。
【請求項１２】
前記第２櫛歯状部・第４櫛歯状部の各々の先端部分が折り曲げられており、この折り曲げられた部分の更に先端部分が前記配管抱持部側に折り曲げられることにより小径配管・配線を収納支持する小径配管・配線収納支持部が設けられた構成であることを特徴とする請求項１〜１１のいずれかに記載の配管吊下支持具。
【発明の詳細な説明】
【技術分野】
【０００１】
本発明は配管吊下支持具に関し、詳しくは天井面・梁部材の如き取付部から吊下状態で１本又は２本以上の配管を抱持支持する配管吊下支持具に関する。
【背景技術】
【０００２】
建物等の設備工事において、１本又は２本以上のガス管・給水管・給湯管・回線保護管等の配管類を、天井面・壁面・床面等の取付面に沿って固定する配管支持具としては、配管を抱持する配管抱持部と、取付面に取付固定される取付ベース部と、から成る配管支持具が種々提案されている（例えば、特許文献１及び２等参照。）。
【０００３】
特許文献１に示す技術は、取付面に取付固定される長板状の取付ベース部の上面に、樹脂製の逆Ω字状のサドルバンドを複数取り付け、このサドルバンドに配管を抱持させることによって配管を支持する構成（図１及び図２）、又は、前記取付ベース部の上面に複数本の配管を並列状態で配列させた後に長尺帯状のベルト体をこの複数本の配管の上面を架け渡して該ベルト体の端部と配管間の途中部分を前記取付けベース部に固定することによって配管を支持する構成（図３及び図４）である。
【０００４】
特許文献２に示す技術では、取付面に取付固定される長板状の取付ベース部の上面に複数本の配管を並列状態で配列させた状態で金属製の抱持板を前記配管の外周面に当接させた状態で巻き回して前記取付ベース部に固着することによって配管を支持する構成である。
【先行技術文献】
【特許文献】
【０００５】
【特許文献１】特開２００５−２５６９４５号
【特許文献２】実用新案登録第２５１６７０７号
【発明の概要】
【発明が解決しようとする課題】
【０００６】
本発明者は、上記したような１本又は２本以上のガス管・給水管・給湯管・回線保護管等の配管類の抱持支持技術について更に研究を続けたところ、天井面・壁面・床面等の取付面に沿った状態で支持する支持具だけではなく、天井面や梁部材から吊下げた状態で支持する配管吊下支持具についても種々設備工事において有用であるという知見を得た。
【０００７】
そこで本発明の課題は、ガス管・給水管・給湯管・回線保護管等の配管類を天井面・梁部材の如き取付部から吊下状態で支持固定でき、しかも作業性・作業コスト・抱持支持力・製造コストが良好な配管吊下支持具を提供することにある。
【課題を解決するための手段】
【０００８】
上記課題を解決する本発明は下記構成を有する。
【０００９】
１．天井面・梁部材の如き取付部に吊下状態で取り付けられ、１本又は２本以上の配管を抱持固定する配管吊下支持具において、
配管吊下支持具を構成する板状材が可撓性を有する一枚の金属板から成り、配管軸に直交する方向の一方の端部から他方の端部に向けて該板状材の途中位置まで平行の４本の切込み部により５枚の櫛歯状部を有する櫛状に形成され、この５枚の櫛歯状部が、配管軸方向の一方から他方に向けて順に、第１櫛歯状部、第２櫛歯状部、第３櫛歯状部、第４櫛歯状部、第５櫛歯状部と成り、
前記第１櫛歯状部・第３櫛歯状部・第５櫛歯状部の各々が、円弧状、半円状、Ω状又はアーチ状のいずれかに切り起こされて１つ又は２つ以上の配管抱持部と成り、
第１櫛歯状部の１つ又は２つ以上の配管抱持部と、第３櫛歯状部の１つ又は２つ以上の配管抱持部と、第５櫛歯状部の１つ又は２つ以上の配管抱持部と、が配管軸方向から見て同一位置に同一形状で形成されており、
配管軸方向から見て、前記配管抱持部と第２櫛歯状部・第４櫛歯状部との間に配管が挿通されて該配管抱持部と第２櫛歯状部・第４櫛歯状部との間に配管が挟着された状態で、抱持支持される構成であり、
前記板状材の他方の端部側の切込み部の無い部分である櫛歯元部と、前記第２櫛歯状部・第４櫛歯状部の各々の先端部分と、のいずれか一方を前記取付部に固定することにより吊下状態とする構成であること、
を特徴とする配管吊下支持具。
【００１０】
２．前記櫛歯元部に透孔が形成されており、該透孔にボルトの如き固定部材が挿通されて前記櫛歯元部を前記取付部の側面に取り付けることにより吊下状態とする構成であることを特徴とする上記１に記載の配管吊下支持具。
【００１１】
３．前記櫛歯元部の端部が折り曲げられており、この折り曲げられた部分に透孔が形成されており、該透孔にボルトの如き固定部材が挿通されてこの折り曲げられた部分を前記取付部の底面に取り付けることにより吊下状態とする構成であることを特徴とする上記１に記載の配管吊下支持具。
【００１２】
４．前記櫛歯元部の端部が切込分割線を介して互い違いに折り曲げられており、この互い違いに折り曲げられた部分の両方に透孔が形成されており、該透孔にボルトの如き固定部材が挿通されてこの互い違いに折り曲げられた部分を前記取付部の底面に取り付けることにより吊下状態とする構成であることを特徴とする上記１に記載の配管吊下支持具。
【００１３】
５．前記第２櫛歯状部・第４櫛歯状部の各々の先端部分に透孔が形成されており、該透孔にボルトの如き固定部材が挿通されて前記第２櫛歯状部・第４櫛歯状部の各々の先端部分を前記取付部の側面に取り付けることにより吊下状態とする構成であることを特徴とする上記１に記載の配管吊下支持具。
【００１４】
６．前記第２櫛歯状部・第４櫛歯状部の各々の先端部分が折り曲げられており、この折り曲げられた部分に透孔が形成されており、該透孔にボルトの如き固定部材が挿通されてこの折り曲げられた部分を前記取付部の底面に取り付けることにより吊下状態とする構成であることを特徴とする上記１に記載の配管吊下支持具。
【００１５】
７．１つの配管抱持部に２本以上の配管を抱持する構成であることを特徴とする上記１〜６のいずれかに記載の配管吊下支持具。
【００１６】
８．前記配管抱持部による配管の抱持範囲が、抱持する配管の半径を超える範囲であることを特徴とする上記１〜７のいずれかに記載の配管吊下支持具。
【００１７】
９．前記第１櫛歯状部と第３櫛歯状部と第５櫛歯状部の先端部分が、前記第２櫛歯状部・第４櫛歯状部から離れる方向に湾曲又は折曲によって反った状態の構成であることを特徴とする上記１〜８のいずれかに記載の配管吊下支持具。
【００１８】
１０．前記第２櫛歯状部・第４櫛歯状部の各々の少なくとも一部に隆起部が形成され、該隆起部が配管抱持部に抱持する配管の外周面であって且つ前記一方の端部側の少なくとも一部に当接可能な構成であることを特徴とする上記１〜９のいずれかに記載の配管吊下支持具。
【００１９】
１１．前記配管抱持部には、該配管抱持部を配管軸直交方向に横断する補強リブが設けられた構成であることを特徴とする上記１〜１０のいずれかに記載の配管吊下支持具。
【００２０】
１２．前記第２櫛歯状部・第４櫛歯状部の各々の先端部分が折り曲げられており、この折り曲げられた部分の更に先端部分が前記配管抱持部側に折り曲げられることにより小径配管・配線を収納支持する小径配管・配線収納支持部が設けられた構成であることを特徴とする上記１〜１１のいずれかに記載の配管吊下支持具。
【発明の効果】
【００２１】
請求項１に示す発明によれば、ガス管・給水管・給湯管・回線保護管等の配管類を天井面・梁部材の如き取付部から吊下状態で支持固定でき、しかも作業性・作業コスト・抱持支持力・製造コストが良好な配管吊下支持具を提供することができる。
【００２２】
特に、一枚の金属板を切起し加工と折曲加工して形成された構成のため低コストにより製造することができ、しかも可撓性を有する金属板を用いているため、配管抱持部の撓み性によって該配管抱持部と第２櫛歯状部との間に抱持した配管が挟着された状態になるので、挿通された配管を安定した状態で確実に且つ防振効果・制振効果を有した状態で抱持支持することができ、更に、簡易な構成によって現場での作業性も良好である。
【００２３】
請求項２に示す発明によれば、金属板の他方の端部の櫛歯元部を取付部である梁部材の側面に固定するだけで吊下支持できるので作業性が高い。
【００２４】
請求項３に示す発明によれば、金属板の他方の端部である櫛歯元部を折り曲げた部分を取付部の底面である天井面に固定するだけで吊下支持できるので作業性が高い。
【００２５】
請求項４に示す発明によれば、金属板の他方の端部である櫛歯元部を互い違いに折り曲げた部分を取付部の底面である天井面に固定するだけで吊下支持できるので作業性が高い。しかも折り曲げた部分が互い違いの方向であるため振動（震動）や揺れに対しての防振性（防震性）が高い。
【００２６】
請求項５に示す発明によれば、金属板の一方の端部の第２櫛歯状部・第４櫛歯状部を取付部である梁部材の側面に固定するだけで吊下支持できるので作業性が高い。
【００２７】
請求項６に示す発明によれば、金属板の一方の端部である第２櫛歯状部・第４櫛歯状部を折り曲げた部分を取付部の底面である天井面に固定するだけで吊下支持できるので作業性が高い。
【００２８】
請求項７に示す発明によれば、２本以上の配管を並列状態で抱持支持することができる。
【００２９】
請求項８に示す発明によれば、配管抱持部が配管を抱え込んだ状態で抱持するので、より安定した抱持支持となる。
【００３０】
請求項９に示す発明によれば、配管抱持部の開放側から該配管抱持部を押し開くようにして配管を圧入する際に、この圧入の導入口部分が拡開した状態となっているので速やか且つ容易に圧入することができる。
【００３１】
請求項１０に示す発明によれば、抱持した配管の配管軸に直交する方向への位置ズレが生じ難くなる。
【００３２】
請求項１１に示す発明によれば、配管抱持部の強度を向上させることができるので抱持支持力がより高めることができる。
【００３３】
請求項１２に示す発明によれば、配管と同位置に配設される小径配管や配線類を同時に吊下支持することができる。
【図面の簡単な説明】
【００３４】
【図１】本発明に係る配管吊下支持具の一実施例を示す５面図（正面図、平面図、底面図、左側面図、右側面図）
【図２】図１に示す配管吊下支持具の使用状態の一例を示す概略正面図（配管軸方向から見た図）
【図３】図２の概略平面図（配管軸に直交し、取付部に正対する方向から見た図）
【図４】本発明に係る配管吊下支持具の他の実施例の使用状態を示す概略正面図（配管軸方向から見た図）
【図５】本発明に係る配管吊下支持具の更に他の実施例の使用状態を示す概略正面図（配管軸方向から見た図）
【図６】図５の配管吊下支持具の櫛歯元部の折り曲げ構成を説明する要部斜視図
【図７】本発明に係る配管吊下支持具の他の実施例を示す正面図
【図８】本発明に係る配管吊下支持具の他の実施例を示す正面図
【図９】本発明に係る配管吊下支持具の他の実施例を示す正面図
【図１０】本発明に係る配管吊下支持具の他の実施例を示す２面図（正面図、平面図）
【図１１】本発明に係る配管吊下支持具の他の実施例を示す正面図
【発明を実施するための形態】
【００３５】
次に、添付の図面に従って本発明を詳細に説明する。
【００３６】
本発明に係る配管吊下支持具は、１本又は２本以上のガス管・給水管・給湯管・回線保護管等の配管類を天井面・壁面等の取付部から吊下支持するものである。
【００３７】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００３８】
本発明の配管吊下支持具１の具体的構成例としては、図１〜図３に示すように、
天井面・梁部材の如き取付部５（本実施例では梁部材の場合を示す。）に吊下状態で取り付けられ、１本又は２本以上（本実施例では２本）の配管Ｐ・Ｐを抱持固定する構成において、
配管吊下支持具１を構成する板状材が可撓性を有する一枚の金属板から成り、配管軸に直交する方向の一方の端部から他方の端部に向けて該板状材の途中位置まで平行の４本の切込み部により５枚の櫛歯状部１１・１２・１３・１４・１５を有する櫛状に形成され、この５枚の櫛歯状部１１・１２・１３・１４・１５が、配管軸方向の一方から他方に向けて順に、第１櫛歯状部１１、第２櫛歯状部１２、第３櫛歯状部１３、第４櫛歯状部１４、第５櫛歯状部１５と成り、
前記第１櫛歯状部１１・第３櫛歯状部１３・第５櫛歯状部１５の各々が、円弧状、半円状、Ω状又はアーチ状のいずれか（本実施例では２連の円弧状）に切り起こされて１つ又は２つ以上（本実施例では２つ）の配管抱持部２１Ａ・２１Ｂと配管抱持部２３Ａ・２３Ｂと配管抱持部２５Ａ・２５Ｂと成り、
第１櫛歯状部１１の１つ又は２つ以上（本実施例では２つ）の配管抱持部２１Ａ・２１Ｂと、第３櫛歯状部１３の１つ又は２つ以上（本実施例では２つ）の配管抱持部２３Ａ・２３Ｂと、第５櫛歯状部１５の１つ又は２つ以上（本実施例では２つ）の配管抱持部２５Ａ・２５Ｂと、が配管軸方向から見て同一位置に同一形状で形成されており、
配管軸方向から見て、前記配管抱持部２１Ａ・２３Ａ・２５Ａ・２１Ｂ・２３Ｂ・２５Ｂと第２櫛歯状部１２・第４櫛歯状部１４との間に配管Ｐ・Ｐが挿通されて該配管抱持部２１Ａ・２３Ａ・２５Ａ・２１Ｂ・２３Ｂ・２５Ｂと第２櫛歯状部１２・第４櫛歯状部１４との間に配管Ｐ・Ｐが挟着された状態で、抱持支持される構成であり、
前記板状材の他方の端部側の切込み部の無い部分である櫛歯元部１０と、前記第２櫛歯状部１２・第４櫛歯状部１４の各々の先端部分１２Ｄ・１４Ｄと、のいずれか一方を前記取付部５に固定することにより吊下状態とする構成であること、
を主構成とするものである。
【００３９】
以下、本発明の構成について更に詳説する。
【００４０】
本発明の配管吊下支持具１は、この種の配管吊下支持具に用いられる可撓性を有する金属板として公知公用のものを特別の制限なく用いることができ、好ましくはステンレスやその他の金属製である。
【００４１】
可撓性を有する一枚の金属板に対して切込み部を形成すると共に切り起こすに際して、第１櫛歯状部１１・第３櫛歯状部１３・第５櫛歯状部１５を切起して配管抱持部２１Ａ・２３Ａ・２５Ａ・２１Ｂ・２３Ｂ・２５Ｂを形成するための切起し部は、本実施例では線状を有する切起し線となっているが、第１櫛歯状部１１と第２櫛歯状部１２との間、第２櫛歯状部１２と第３櫛歯状部１３との間、第３櫛歯状部１３と第４櫛歯状部１４との間、第４櫛歯状部１４と第５櫛歯状部１５との間、の各々が線状ではなく溝状に間隔を設けて切り起こされる構成であってもよい。なお、該溝は同一巾である必要はない。
【００４２】
第１櫛歯状部１１、第２櫛歯状部１２、第３櫛歯状部１３、第４櫛歯状部１４、第５櫛歯状部１５の幅は、本実施例では５枚全てを等しい幅に形成しているが、第１櫛歯状部１１と第３櫛歯状部１３と第５櫛歯状部１５とを同じ幅に形成し、この３枚の各々よりも狭い幅で、又は広い幅で、第２櫛歯状部１２と第４櫛歯状部１４とを同じ幅に形成してもよい。更には、この５枚の幅を全て異なる幅に形成してもよい。
【００４３】
また抱持する配管Ｐの本数は、本実施例では２本であるが、１本又は３本以上であってもよく、抱持する配管Ｐの本数に応じて、更には抱持する配管Ｐの直径に応じて配管抱持部の形状は、円弧状、半円状、Ω状、アーチ状のいずれかの形状に形成される。更に、円弧状や半円状の場合であって２本以上の配管を抱持する場合、本実施例のように２本の配管Ｐ・Ｐを抱持する配管抱持部２１・２３・２５が連設された状態、即ち、２１Ａと２１Ｂ、２３Ａと２３Ｂ、２５Ａと２５Ｂのように連設した状態とすることによって同時に２本を抱持する構成であることが配管支持作業の効率化や製造コスト等の点で好ましい。
【００４４】
更に、配管抱持部２１Ａ・２１Ｂ・２３Ａ・２３Ｂ・２５Ａ・２５Ｂによる配管Ｐ・Ｐの抱持範囲が、抱持する配管Ｐの半径を超える範囲であること、即ち、第１櫛歯状部１１の先端側の配管抱持部２１Ｂの先端部分１１Ａと、第３櫛歯状部１３の先端側の配管抱持部２３Ｂの先端部分１３Ａと、第５櫛歯状部１５の先端側の配管抱持部２５Ｂの先端部分１５Ａの各々が、配管Ｐの半径を超えて取付部５に近接乃至は当接する部分まで延びている構成が好ましい。かかる構成によれば、配管抱持部２１Ｂ・２３Ｂ・２５Ｂが配管Ｐを抱え込んだ状態で抱持するので、より安定した抱持支持となる（図示せず。）。
【００４５】
梁部材である取付部５の側面への吊下固定構成としては、図２及び図３に示すように、櫛歯元部１０に形成されている透孔１０Ａ・１０Ａに、取付部５に配設されている固定部材であるボルト３が挿通されるように取付部５に配管吊下支持具１を吊下状態で取付けた後、ナット４を螺合緊締することにより行われる。尚、透孔１０Ａの位置や数は取付部５の形状や設計条件等に応じて適宜変更することができる。尚、本実施例では、ボルト３・ナット４により取付固定したが、本発明はかかる構成に限定されず、例えば、取付部５に雌ネジ穴が形成され、該雌ネジ穴に前記透孔１０Ａに挿通したボルトを螺合緊締したり、アンカーボルトにより固定する等、公知公用の他の取付固定手段を採ることができる。
【００４６】
以上、本発明に係る配管吊下支持具の実施例について説明したが、本発明は上記構成に限定されず、本発明の範囲内において種々の態様を採ることができる。
【００４７】
例えば、上記実施例では取付部５として梁部材の側面に櫛歯元部１０を取付けて吊下げる構成であったが、取付部５として天井面から吊下げる構成とすることもできる。即ち、図４に示すように、櫛歯元部１０の端部が折り曲げられており、この折り曲げられた部分に透孔１０Ａが形成されており、該透孔１０Ａにボルト３の如き固定部材が挿通されてこの折り曲げられた部分を前記取付部５の底面に取り付けることにより吊下状態とする構成である。尚、櫛歯元部１０を折り曲げる部位としては、図１に仮想線で示す折曲線１０Ｂの位置を挙げることができる。
かかる構成によれば、金属板の他方の端部である櫛歯元部１０を折り曲げた部分を取付部５の底面である天井面に固定するだけで吊下支持できるので作業性が高い。
【００４８】
更に、取付部５として天井面から吊下げる構成の場合、図５及び図６に示すように、櫛歯元部１０の端部が切込分割線を介して互い違いに折り曲げられており、この互い違いに折り曲げられた部分の両方に透孔１０Ａが形成されており、該透孔１０Ａにボルト３の如き固定部材が挿通されてこの互い違いに折り曲げられた部分を前記取付部５の底面である天井面に取り付けることにより吊下状態とする構成とすることもできる。
かかる構成によれば、金属板の他方の端部である櫛歯元部１０を互い違いに折り曲げた部分を取付部５の底面である天井面に固定するだけで吊下支持できるので作業性が高い。しかも折り曲げた部分が互い違いの方向であるため振動（震動）や揺れに対しての防振性（防震性）が高い。
【００４９】
取付部５からの吊下構成は、上記したように金属板の他方の端部である櫛歯元部１０を取付部５に取り付けて吊下げる構成に限らず、金属板の一方の端部である第２櫛歯状部１２・第４櫛歯状部１４の各々の先端部分１２Ｄ・１４Ｄを取付部５に取付ける構成としてもよい。
【００５０】
吊下げた状態の図は省略するが、第２櫛歯状部１２・第４櫛歯状部１４の各々の先端部分１２Ｄ・１４Ｄに図１に仮想線で示す透孔１２Ａ・１４Ａが形成されており、該透孔１２Ａ・１４Ａにボルト３の如き固定部材が挿通されて前記第２櫛歯状部１２・第４櫛歯状部１４の各々の先端部分１２Ａ・１４Ａを前記取付部５である梁部材の側面に取り付けることにより吊下状態とすることができる。かかる構成によれば、金属板の一方の端部の第２櫛歯状部１２・第４櫛歯状部１４を取付部５である梁部材の側面に固定することにより吊下支持できるので作業性が高い。
【００５１】
また、第２櫛歯状部１２・第４櫛歯状部１４の各々の先端部分１２Ｄ・１４Ｄが図１に仮想線として示す折曲線１２Ｆ・１４Ｆで折り曲げられており、この折り曲げられた部分に仮想線で示す透孔１２Ａ・１４Ａが形成されており、該透孔１２Ａ・１４Ａにボルト３の如き固定部材が挿通されてこの折り曲げられた部分を前記取付部５の底面である天井面に取り付けることにより吊下状態とすることができる。かかる構成によれば、金属板の一方の端部である第２櫛歯状部１２・第４櫛歯状部１４の折り曲げた部分を取付部５の底面である天井面に固定するだけで吊下支持できるので作業性が高い。
【００５２】
また、図７に示す実施例のように、第１櫛歯状部１１と第３櫛歯状部１３と第５櫛歯状部１５の先端部分１１Ａ・１３Ａ・１５Ａが、第２櫛歯状部１２・第４櫛歯状部１４から離れる方向に湾曲又は折曲によって反った状態の構成としてもよい。かかる構成によれば、配管抱持部２１Ｂ・２３Ｂの開放側から該配管抱持部２１Ｂ・２３Ｂを押し開くようにして配管Ｐを圧入する際に、この圧入の導入口部分が拡開した状態となっているので速やか且つ容易に圧入することができる。
【００５３】
また、前述したように抱持する配管Ｐの本数は２本に限定されず、１本又は３本以上であってもよい。例えば、図８に示す実施例は３本の配管Ｐ・Ｐ・Ｐをアーチ状の配管抱持部２１（２３・２５）によって抱持する構成であり、図９に示す実施例は１本の配管ＰをΩ状の配管抱持部２１（２３・２５）によって抱持する構成である。なお、２本以上の配管Ｐを吊下支持するに際し、配管径を異にする場合、配管径を配管抱持部２１の径に合わせるため、配管Ｐに厚み調整部材（テープやリング等）を取付ければよい。
【００５４】
また、図１０に示す実施例のように、第２櫛歯状部１２・第４櫛歯状部１４の各々の少なくとも一部に隆起部１２Ｂ・１４Ｂ・１２Ｃ・１４Ｃを形成し、隆起部１２Ｂ・１４Ｂが配管抱持部２１Ａ・２３Ａに抱持する配管Ｐの外周面であって且つ前記一方の端部側の少なくとも一部に当接し、隆起部１２Ｃ・１４Ｃが配管抱持部２１Ｂ・２３Ｂ・２５Ｂに抱持する配管Ｐの外周面であって且つ前記一方の端部側の少なくとも一部に当接する構成としてもよい。かかる構成によれば、配管軸に直交する方向（図１０において特に右方向）への配管Ｐ・Ｐの位置ズレをより防ぐことができる。
【００５５】
更に、図１０に示す実施例のように、配管抱持部２１・２３・２５の各々に該配管抱持部２１・２３・２５を配管軸直交方向に横断する補強リブ１１Ｂ・１３Ｂ・１５Ｂを設けた構成としてもよい。かかる構成によれば、配管抱持部２１・２３・２５の強度を向上させることができるので抱持支持力がより高めることができる。
【００５６】
更にまた、図１１に示す実施例のように、第２櫛歯状部１２・第４櫛歯状部１４の各々の先端部分１２Ｄ・１４Ｄが折り曲げられており、この折り曲げられた部分の更に先端部分１２Ｅ・１４Ｅが前記配管抱持部２１・２３・２５側に折り曲げられることにより小径配管・配線Ｐｌを収納支持する小径配管・配線収納支持部２２・２４を設けた構成としてもよい。かかる構成によれば、配管Ｐと同位置に配設される小径配管や配線類を同時に吊下支持することができる。
【符号の説明】
【００５７】
１  配管吊下支持具
１０  櫛歯元部
１０Ａ  透孔
１０Ｂ  折曲線
１１  第１櫛歯状部
１１Ａ  先端部分
１１Ｂ  補強リブ
１２  第２櫛歯状部
１２Ａ  透孔
１２Ｂ  隆起部
１２Ｃ  隆起部
１２Ｄ  先端部分
１２Ｅ  更に先端部分
１２Ｆ  折曲線
１３  第３櫛歯状部
１３Ａ  先端部分
１３Ｂ  補強リブ
１４  第４櫛歯状部
１４Ａ  透孔
１４Ｂ  隆起部
１４Ｃ  隆起部
１４Ｄ  先端部分
１４Ｅ  更に先端部分
１４Ｆ  折曲線
１５  第５櫛歯状部
１５Ａ  先端部分
１５Ｂ  補強リブ
２１  配管抱持部
２１Ａ  配管抱持部
２１Ｂ  配管抱持部
２２  小径配管・配線収納支持部
２３  配管抱持部
２３Ａ  配管抱持部
２３Ｂ  配管抱持部
２４  小径配管・配線収納支持部
２５  配管抱持部
２５Ａ  配管抱持部
２５Ｂ  配管抱持部
３  ボルト
４  ナット
５  取付部
Ｐ  配管
Ｐｌ  小径配管・配線
【図１】
2020176692.tif 000003
【図２】
2020176692.tif 000004
【図３】
2020176692.tif 000005
【図４】
2020176692.tif 000006
【図５】
2020176692.tif 000007
【図６】
2020176692.tif 000008
【図７】
2020176692.tif 000009
【図８】
2020176692.tif 000010
【図９】
2020176692.tif 000011
【図１０】
2020176692.tif 000012
【図１１】
2020176692.tif 000013